(57)【特許請求の範囲】
【請求項１】
テレビ放送帯を複数の帯域に分割して受信するテレビジョン信号受信チューナーであって、分割された各帯域のテレビジョン信号を中間周波信号に周波数変換する混合器と、前記各帯域のうち最低周波数の帯域のテレビジョン信号に対応する局部発振信号を出力する局部発振器と、前記局部発振信号を順次２逓倍する複数の逓倍器とを備え、前記最低周波数の帯域のテレビジョン信号を受信するときには前記局部発振器から出力された前記局部発振信号を前記混合器に直接入力し、前記最低周波数の帯域よりも順次周波数の高い帯域のテレビジョン信号を受信するときには、前記各逓倍器によって順次逓倍された局部発振信号を前記混合器に入力したことを特徴とするテレビジョン信号受信チューナ。
【請求項２】
ＵＨＦ帯の最高周波数とＶＨＦ帯の最低周波数との間を四つの帯域に分割し、前記混合器はＵＨＦ混合器とＶＨＦ混合器とを有し、前記逓倍器は第一乃至第三の逓倍器を有し、前記局部発振器は前記ＶＨＦ帯の最低周波数を含む第四の帯域のテレビジョン信号に対応する局部発振信号を出力し、前記局部発振器から出力される前記局部発振信号を前記第一乃至第三の逓倍器によって順次２逓倍し、前記第四の帯域のテレビジョン信号を受信するときには、前記局部発振器から出力される前記局部発振信号を直接前記ＶＨＦ混合器に入力し、次に周波数の低い第三の帯域のテレビジョン信号を受信するときには、前記第一の逓倍器から出力される前記局部発振信号を前記ＶＨＦ混合器に入力し、三番目に周波数の低い第二の帯域のテレビジョン信号を受信するときには、前記第二の逓倍器から出力される前記局部発振信号を前記ＵＨＦ混合器に入力し、四番目に周波数の低い第一の帯域のテレビジョン信号を受信するときには、前記第三の逓倍器から出力される前記局部発振信号を前記ＵＨＦ混合器に入力したことを特徴とする請求項１に記載のテレビジョン信号受信チューナ。
【発明の詳細な説明】
【０００１】
【発明の属する技術分野】
本発明は、テレビジョン信号受信チューナに関し、小型化、及び、低コスト化に適したテレビジョン信号受信チューナに関する。
【０００２】
【従来の技術】
テレビジョン信号は周波数帯域によって、ＵＨＦ（米国の場合は８９０〜４７０ＭＨｚ）とＶＨＦハイバンド（米国の場合は２１６〜１７４ＭＨｚ）とＶＨＦローバンド（米国の場合は８８〜５４ＭＨｚ）とに分けて受信するようになっている。
【０００３】
図３に示すようにチューナは、ＵＨＦ回路部５３、ＶＨＦ回路部５４、集積回路５５、ＰＬＬ５６、フィルタ５７、ＵＨＦ共振回路５８、ＶＨＦ共振回路５９から構成されている。
【０００４】
ＵＨＦ回路部５３は、アンテナ５１が接続されている入力端子５２からＵＨＦ用アンテナ回路６０、ＵＨＦ用高周波増幅回路６１、ＵＨＦ同調回路６２の順に直列接続されている。ここで、ＵＨＦ用アンテナ回路６０は入力された高周波信号のうち、必要なＵＨＦ信号をＵＨＦ用高周波増幅回路６１へ出力する回路、ＵＨＦ用高周波増幅回路６１は入力された高周波信号を増幅する回路、ＵＨＦ同調回路６２は、入力された信号を同調させる回路である。
【０００５】
また、ＶＨＦ回路部５４は、ＵＨＦ回路部５３と並列に構成されており、アンテナ５１が接続されている入力端子５２からＶＨＦ用アンテナ回路６３、ＶＨＦ用高周波増幅回路６４、ＶＨＦ用同調回路６５の順に接続されている、ここで、ＶＨＦ回路部５４内の各回路の動作は、対応するＵＨＦ回路部５３の各回路と同様であるため、その説明を省略する。
【０００６】
集積回路５５は、ＵＨＦ混合器６６、ＶＨＦ混合器６７、ＵＨＦ局部発振器６８、ＶＨＦ局部発振器６９、局部発振器切替器７０、バンド切替器７１、中間周波増幅器７２とを有している。
【０００７】
ＵＨＦ混合器６６の一方の入力端は、ＵＨＦ回路部５３の出力端に接続されており、８９０ＭＨｚ〜４７０ＭＨｚの高周波信号が入力され、他方の入力端は、ＵＨＦ局部発振器６８に接続されており、高周波信号よりも４４ＭＨｚ高い局部発振信号が入力され、ＵＨＦ回路部５３から入力された高周波信号を４４ＭＨｚの中間周波信号に周波数変換し、バンド切替器７１へ出力する。ＶＨＦ混合器６７の一方の入力端はＶＨＦ回路部５４の出力端に接続されており、２１６ＭＨｚ〜５４ＭＨｚの高周波信号が入力され、他方の入力端は、ＶＨＦ局部発振器６９に接続されており、高周波信号よりも４４ＭＨｚ高い局部発振信号が入力され、ＶＨＦ回路部５４から入力された高周波信号を４４ＭＨｚの中間周波信号に周波数変換し、バンド切替器７１へ出力する。
【０００８】
中間周波信号は、バンド切替器７１を通過してフィルタ５７へ入力される。フィルタ５７は、急峻な特性を持つバンドパスフィルタであって、その出力端は集積回路５５内の中間周波増幅器７２の入力端と接続されている。中間周波増幅器７２の出力端はチューナの出力端子７３を構成している。
【０００９】
ＰＬＬ５６は、受信チャンネルを選択するための回路であって、ＵＨＦバンドを選択するＵＨＦバンド切替電圧Ｖｕと選局されたチャンネルに対応した同調電圧ＶｔとをＵＨＦ回路部５３へ印加し、ＶＨＦのハイバンドを選択するＶＨＦハイバンド切替電圧ＶｈｉとＶＨＦのローバンドを選択するＶＨＦローバンド切替電圧Ｖｌｏと同調電圧ＶｔとをＶＨＦ回路部５４へ印加し、ＶＨＦハイバンド切替電圧ＶｈｉとＶＨＦローバンド切替電圧ＶｌｏとをＶＨＦ共振回路５９へ印加する。また、ＰＬＬ５６は集積回路５５内の局部発振器切替器７０とバンド切替器７１とに制御電圧を印加する。また、ＰＬＬ５６には局部発振器切替器７０を介して、ＵＨＦ局部発振器６８またはＶＨＦ局部発振器６９から発振信号が入力され、その発振信号の周波数に応じてＵＨＦ共振回路５８及びＶＨＦ共振回路５９に制御電圧を印加し、ＵＨＦ局部発振器６８とＶＨＦ局部発振器６９との発振周波数を調整する。
【００１０】
【発明が解決しようとする課題】
ところで局部発振器が発振する周波数の精度を高めるためには、発振周波数の最高発振周波数と最低発振周波数との比率を３：１以内、好ましくは２：１以内にする必要がある。このため、上述したチューナにおいては、局部発振器及び共振回路がＵＨＦ用とＶＨＦ用との２つ必要であって、チューナが大型で、コストも高くなるという問題点があった。また、ＶＨＦ帯域の幅広い周波数に対応した発振信号（２５７〜１０１ＭＨｚ）を１つの局部発振器で出力しなければならず、局部発振器の最高発振周波数と最低発振周波数の比が約２．５：１と大きくなるため発振信号の精度を上げることが困難であった。本案は、上述した事情に鑑みてなされたもので、小型で安価なチューナを提供することを目的とする。
【００１３】
【課題を解決するための手段】
本発明のテレビジョン信号受信チューナは、テレビ放送帯を複数の帯域に分割して受信するテレビジョン信号受信チューナーであって、分割された各帯域のテレビジョン信号を中間周波信号に周波数変換する混合器と、前記各帯域のうち最低周波数の帯域のテレビジョン信号に対応する局部発振信号を出力する局部発振器と、前記局部発振信号を順次２逓倍する複数の逓倍器とを備え、前記最低周波数の帯域のテレビジョン信号を受信するときには前記局部発振器から出力された前記局部発振信号を前記混合器に直接入力し、前記最低周波数の帯域よりも順次周波数の高い帯域のテレビジョン信号を受信するときには、前記各逓倍器によって順次逓倍された局部発振信号を前記混合器に入力した。
【００１４】
また、本発明のテレビジョン信号受信チューナは、ＵＨＦ帯の最高周波数とＶＨＦ帯の最低周波数との間を四つの帯域に分割し、前記混合器はＵＨＦ混合器とＶＨＦ混合器とを有し、前記逓倍器は第一乃至第三の逓倍器を有し、前記局部発振器は前記ＶＨＦ帯の最低周波数を含む第四の帯域のテレビジョン信号に対応する局部発振信号を出力し、前記局部発振器から出力される前記局部発振信号を前記第一乃至第三の逓倍器によって順次２逓倍し、前記第四の帯域のテレビジョン信号を受信するときには、前記局部発振器から出力される前記局部発振信号を直接前記ＶＨＦ混合器に入力し、次に周波数の低い第三の帯域のテレビジョン信号を受信するときには、前記第一の逓倍器から出力される前記局部発振信号を前記ＶＨＦ混合器に入力し、三番目に周波数の低い第二の帯域のテレビジョン信号を受信するときには、前記第二の逓倍器から出力される前記局部発振信号を前記ＵＨＦ混合器に入力し、四番目に周波数の低い第一の帯域のテレビジョン信号を受信するときには、前記第三の逓倍器から出力される前記局部発振信号を前記ＵＨＦ混合器に入力した。
【００１５】
【発明の実施の形態】
以下、本発明のチューナを図１及び図２を用いて説明する。図１に示すようにこのチューナは、ＵＨＦ回路部３、ＶＨＦ回路部４、集積回路５、ＰＬＬ６，フィルタ７、共振回路８から構成されており、受信可能な周波数帯域を４つの帯域に分けて受信するようになっている。
【００１６】
最も周波数の高い第一の帯域（１２５６〜６０６ＭＨｚ）から二番目に周波数の高い第二の帯域（６０６〜２８１ＭＨｚ）までの範囲にＵＨＦ帯域（米国の場合は８９０〜４７０ＭＨｚ）を含み、三番目に周波数の高い第三の帯域（２８１〜１１９ＭＨｚ）にＶＨＦハイバンド（米国の場合は２１６〜１７４ＭＨｚ）を含み、四番目に周波数の高い第四の帯域（１１９〜３８ＭＨｚ）ＶＨＦローバンド（米国の場合は８８〜５４ＭＨｚ）を含むようになっている。
【００１７】
ＵＨＦ回路部３は、アンテナ１が接続されている入力端子２からＵＨＦアンテナ回路９、ＵＨＦ高周波増幅回路１０、ＵＨＦ同調回路１１の順に直列接続されている。ここで、ＵＨＦアンテナ回路９は入力された高周波信号のうち、必要なＵＨＦ信号をＵＨＦ高周波増幅回路１０へ出力する回路、ＵＨＦ高周波増幅回路１０は入力された高周波信号を増幅する回路、ＵＨＦ同調回路１１は、入力された高周波信号を同調させる回路である。
【００１８】
また、ＶＨＦ回路部４は、ＵＨＦ回路部３と並列に構成されており、アンテナ１が接続されている入力端子２からＶＨＦアンテナ回路１２、ＶＨＦ高周波増幅回路１３、ＶＨＦ同調回路１４の順に接続されている、ここで、それぞれのＶＨＦ回路部４の動作は、対応するＵＨＦ回路部３の各回路と同様であるため、その説明を省略する。
【００１９】
集積回路５は、ＵＨＦ混合器１５、ＶＨＦ混合器１６、局部発振器１７、第一の分周器１８、第二の分周器１９、第三の分周器２０、第一の分周器切替器２１、第二の分周器切替器２２、バンド切替器２３、中間周波増幅器２４とを有している。
【００２０】
局部発振器１７は１３００〜６５０ＭＨｚの発振信号を出力するようになっており、局部発振器１７の出力端は、第一の分周器１８の入力端と第一の分周器切替器２１とに接続されている。第一の分周器１８は、局部発振器１７の発振信号（１３００〜６５０ＭＨｚ）を２分の１（６５０〜３２５ＭＨｚ）にして、第二の分周器１９と第一の分周器切替器２１とに出力する。第二の分周器１９は、第一の分周器１８から出力された発振信号を更に２分の１（３２５〜１６３ＭＨｚ）にして、第三の分周器２０と第二の分周器切替器２２とに出力する。第三の分周器２０は、第二の分周器１９から出力された発振信号を更に２分の１（１６３〜８１ＭＨｚ）にして、第二の分周器切替器２２に出力する。
【００２１】
第一の帯域（１２５６〜６０６ＭＨｚ）のテレビジョン信号を受信する際には、第一の分周器切替器２１が、ＵＨＦ混合器１５の入力端と局部発振器１７の出力端とを接続する。従って、ＵＨＦ混合器１５の一方の入力端から、ＵＨＦ回路部３を通過した高周波信号が入力され、他方の入力端から、周波数が高周波信号より４４ＭＨｚ高い局部発振器１７の発振信号（１３００〜６５０ＭＨｚ）が入力され、ＵＨＦ回路部３から入力された高周波信号を４４ＭＨｚの中間周波信号に周波数変換し、バンド切替器２３へ出力する。
【００２２】
第二の帯域（６０６〜２８１ＭＨｚ）のテレビジョン信号を受信する際には、第一の分周器切替器２１が、ＵＨＦ混合器１５の入力端と第一の分周器１８の出力端とを接続する。従って、ＵＨＦ混合器１５の一方の入力端から、ＵＨＦ回路部３を通過した高周波信号が入力され、他方の入力端から、第一の分周器１８で局部発振器１７の発振信号の２分の１の周波数になった発振信号（６５０〜３２５ＭＨｚ）が入力され、ＵＨＦ回路部３から入力された高周波信号を４４ＭＨｚの中間周波信号に周波数変換し、バンド切替器２３へ出力する。
【００２３】
第三の帯域（２８１〜１１９ＭＨｚ）のテレビジョン信号を受信する際には、第二の分周器切替器２２が、ＶＨＦ混合器１６の入力端と第二の分周器１９の出力端とを接続する。従って、ＶＨＦ混合器１６の一方の入力端から、ＶＨＦ回路部４を通過した高周波信号が入力され、他方の入力端から、第一の分周器１８と第二の分周器１９とで局部発振器１７の発振信号の４分の１の周波数になった発振信号（３２５〜１６３ＭＨｚ）が入力され、ＶＨＦ回路部４から入力された高周波信号を４４ＭＨｚの中間周波信号に周波数変換し、バンド切替器２３へ出力する。
【００２４】
第四の帯域（１１９〜３８ＭＨｚ）のテレビジョン信号を受信する際には、第二の分周器切替器２２が、ＶＨＦ混合器１６の入力端と第三の分周器２０の出力端とを接続する。従って、ＶＨＦ混合器１６の一方の入力端から、ＶＨＦ回路部４を通過した高周波信号が入力され、他方の入力端から、第一の分周器１８と第二の分周器１９と第三の分周器２０とで局部発振器１７の発振信号の８分の１の周波数になった発振信号（１６３〜８１ＭＨｚ）が入力され、ＶＨＦ回路部４から入力された高周波信号を４４ＭＨｚの中間周波信号に周波数変換し、バンド切替器２３へ出力する。
【００２５】
中間周波信号は、バンド切替器２３を通過してフィルタ７へ入力される。フィルタ７は、急峻な特性を持つバンドパスフィルタであって、その出力端は集積回路５内の中間周波増幅器２４の入力端と接続されている。中間周波増幅器２４の出力端はチューナの出力端子２５を構成している。
【００２６】
ＰＬＬ６は、受信チャンネルを選択するための回路であって、ＵＨＦバンドを選択するＵＨＦバンド切替電圧Ｖｕと選局されたチャンネルに対応した同調電圧ＶｔをＵＨＦ回路部３へ印加し、ＶＨＦのハイバンドを選択するＶＨＦハイバンド切替電圧ＶｈｉとＶＨＦのローバンドを選択するＶＨＦローバンド切替電圧Ｖｌｏと同調電圧ＶｔとをＶＨＦ回路部４へ印加する。また、ＰＬＬ６は集積回路５内の第一の分周器切替器２１と第二の分周器切替器２２とバンド切替器２３とに制御電圧を印加する。また、ＰＬＬ６には、局部発振器１７から発振信号が入力され、その発振信号の周波数に応じて共振回路８に制御電圧を印加し、局部発振器１７の発振周波数を調整する。
【００２７】
図２は本発明のチューナの他の実施の形態を示す。このチューナは１つの局部発振器と３つの逓倍器とで幅広い範囲の周波数にわたって発振信号を出力できるようになっている。
【００２８】
局部発振器１７の出力端は、第一の逓倍器２６の入力端と第一の逓倍器切替器２９とに接続されている。第一の逓倍器２６は、局部発振器１７の発振信号の周波数（１６３〜８１ＭＨｚ）を２倍（３２５〜１６３ＭＨｚ）にして、第二の逓倍器２７と第一の逓倍器切替器２９とに出力する。第二の逓倍器２７は、第一の逓倍器２６から出力された発振信号を更に２倍の周波数（６５０〜３２５ＭＨｚ）にして、第三の逓倍器２８と第二の逓倍器切替器３０とに出力する。第三の逓倍器２８は、第二の逓倍器２７から出力された発振信号を更に２倍の周波数（１３００〜６５０ＭＨｚ）にして、第二の逓倍器切替器３０に出力する。
【００２９】
第一の帯域（１２５６〜６０６ＭＨｚ）のテレビジョン信号を受信する際には、第二の逓倍器切替器３０が、ＵＨＦ混合器１５の入力端と第三の逓倍器２８の出力端とを接続する。従って、ＵＨＦ混合器１５の一方の入力端から、ＵＨＦ回路部３を通過した高周波信号が入力され、他方の入力端から、第一の逓倍器２６と第二の逓倍器２７と第三の逓倍器２８とで局部発振器１７の発振信号の８倍の周波数になった発振信号（１３００〜６５０ＭＨｚ）が入力され、ＵＨＦ回路部３から入力された高周波信号を４４ＭＨｚの中間周波信号に周波数変換し、バンド切替器２３へ出力する。
【００３０】
第二の帯域（６０６〜２８１ＭＨｚ）のテレビジョン信号を受信する際には、第二の逓倍器切替器３０が、ＵＨＦ混合器１５の入力端と第二の逓倍器２７の出力端とを接続する。従って、ＵＨＦ混合器１５の一方の入力端から、ＵＨＦ回路部３を通過した高周波信号が入力され、他方の入力端から、第一の逓倍器２６と第二の逓倍器２７とで局部発振器１７の発振信号の４倍の周波数になった発振信号（６５０〜３２５ＭＨｚ）が入力され、ＵＨＦ回路部３から入力された高周波信号を４４ＭＨｚの中間周波信号に周波数変換し、バンド切替器２３へ出力する。
【００３１】
第三の帯域（２８１〜１１９ＭＨｚ）のテレビジョン信号を受信する際には、第一の逓倍器切替器２９が、ＶＨＦ混合器１６の入力端と第一の逓倍器２６の出力端とを接続する。従って、ＶＨＦ混合器１６の一方の入力端から、ＶＨＦ回路部４を通過した高周波信号が入力され、他方の入力端から、第一の逓倍器２７で局部発振器１７の発振信号の２倍の周波数になった発振信号（３２５〜１６３ＭＨｚ）が入力され、ＶＨＦ回路部４から入力された高周波信号を４４ＭＨｚの中間周波信号に周波数変換し、バンド切替器２３へ出力する。
【００３２】
第四の帯域（１１９〜３８ＭＨｚ）のテレビジョン信号をを受信する際には、第一の逓倍器切替器２９が、ＶＨＦ混合器１６の入力端と局部発振器１７の出力端とを接続する。従って、ＶＨＦ混合器１６の一方の入力端から、ＶＨＦ回路部４を通過した高周波信号が入力され、他方の入力端から、局部発振器１７の発振信号（１６３〜８１ＭＨｚ）が入力され、ＶＨＦ回路部４から入力された高周波信号を４４ＭＨｚの中間周波信号に周波数変換し、バンド切替器２３へ出力する。
【００３３】
中間周波信号は、バンド切替器２３を通過してフィルタ７へ入力される。フィルタ７は、急峻な特性を持つバンドパスフィルタであって、その出力端は集積回路５内の中間周波増幅器２４の入力端と接続されている。中間周波増幅器２４の出力端はチューナの出力端子２５を構成している。
【００３６】
【発明の効果】
以上のように、本発明のテレビジョン信号受信チューナは、複数の逓倍器を使うことにより、１つの局部発振器で、幅広い周波数帯域の発振信号を出力でき、チューナを小型で、しかも、安価にすることができる。
【００３７】
また、本発明のテレビジョン受信チューナはＵＨＦ帯の最高周波数とＶＨＦ帯の最低周波数との間に配列されたテレビジョン信号を４つの帯域に分割して受信し、各帯域のテレビジョン信号を中間周波信号に変換するための局部発振信号を、１つの局部発振器と３つの逓倍器とを用いて出力しているので、局部発振器の発振周波数の最高発振周波数（１６３ＭＨｚ）と最低発振周波数（８１ＭＨｚ）との比が２：１程度に抑えられ、発振周波数の精度を高めることが容易で、ＵＨＦ帯からＶＨＦ帯までの幅広い帯域のテレビジョン信号を精確に受信できる。
【図面の簡単な説明】
【図１】本発明のテレビジョン信号受信用チューナのブロック構成図である。
【図２】本発明のテレビジョン信号受信用チューナの他の構成を示すブロック構成図である。
【図３】従来のテレビジョン信号受信用チューナのブロック図である。
【符号の説明】
１  アンテナ
２  入力端子
３  ＵＨＦ回路部
４  ＶＨＦ回路部
５  集積回路
６  ＰＬＬ
７  フィルタ
８  共振回路
９  ＵＨＦアンテナ回路
１０  ＵＨＦ高周波増幅回路
１１  ＵＨＦ同調回路
１２  ＶＨＦアンテナ回路
１３  ＶＨＦ高周波増幅回路
１４  ＶＨＦ同調回路
１５  ＵＨＦ混合器
１６  ＶＨＦ混合器
１７  局部発振器
１８  第一の分周器
１９  第二の分周器
２０  第三の分周器
２１  第一の分周器切替器
２２  第二の分周器切替器
２３  バンド切替器
２４  中間周波増幅器
２５  出力端子
２６  第一の逓倍器
２７  第二の逓倍器
２８  第三の逓倍器
２９  第一の逓倍器切替器
３０  第二の逓倍器切替器
５１  アンテナ
５２  入力端子
５３  ＵＨＦ回路部
５４  ＶＨＦ回路部
５５  集積回路
５６  ＰＬＬ
５７  フィルタ
５８  ＵＨＦ共振回路
５９  ＶＨＦ共振回路
６０  ＵＨＦ用アンテナ回路
６１  ＵＨＦ用高周波増幅回路
６２  ＵＨＦ同調回路
６３  ＶＨＦ用アンテナ回路
６４  ＶＨＦ用高周波増幅回路
６５  ＶＨＦ同調回路
６６  ＵＨＦ混合器
６７  ＶＨＦ混合器
６８  ＵＨＦ局部発振器
６９  ＶＨＦ局部発振器
７０  局部発振器切替器
７１  バンド切替器
７２  中間周波増幅器
７３  出力端子
【図１】
0003610257.tif 000002
【図２】
0003610257.tif 000003
【図３】
0003610257.tif 000004